(57)【特許請求の範囲】
【請求項１】
表示パネルと、前記表示パネルの観察者と反対側に配置されたバックライトとを備え、
前記バックライトは、導光部材と、
前記導光部材の前記液晶表示パネル側の面上で、前記バックライトの非有効領域に配置される入射光調整部材と、
前記入射光調整部材上に配置される点光源とを有する液晶表示装置であって、
前記入射光調整部材は、前記バックライトの非有効領域の全体に設けられるとともに、前記導光部材側の面に、断面形状の少なくとも一部が円弧状の複数の凸部を有し、
前記入射光調整部材は、前記凸部を前記導光部材の前記液晶表示パネル側の面に密着させて前記導光部材の前記液晶表示パネル側の面に配置されることを特徴とする液晶表示装置。
【請求項２】
前記導光部材の前記液晶表示パネルと反対側の面上で、前記バックライトの前記非有効領域に配置される後面側反射シートを有することを特徴とする請求項１に記載の液晶表示装置。
【請求項３】
前記導光部材は、前記液晶表示パネル側の面上で、前記入射光調整部材が配置される領域外の領域に形成された光半透過部材と、
前記液晶表示パネルと反対側の面に形成された反射部材とを有し、
前記光半透過部材の屈折率が、前記導光部材の屈折率よりも小さいことを特徴とする請求項１に記載の液晶表示装置。
【請求項４】
前記導光部材の前記液晶表示パネル側の面上で、前記バックライトの有効発光領域に対応する領域に配置される出射光制御板を有し、
前記出射光制御板は、前記導光部材側の面に断面形状の少なくとも一部が円弧状の複数の凸部を有し、
前記出射光制御板は、前記凸部を前記導光部材の前記液晶表示パネル側の面に密着させて前記導光部材の前記液晶表示パネル側の面に配置されることを特徴とする請求項１ないし請求項３のいずれか１項に記載の液晶表示装置。
【請求項５】
前記入射光調整部材と前記出射光制御板とは一体に形成されることを特徴とする請求項４に記載の液晶表示装置。
【請求項６】
表示パネルと、前記表示パネルの観察者と反対側に配置されたバックライトとを備え、
前記バックライトは、導光部材と、
前記導光部材の前記液晶表示パネルと反対側の面上の、前記バックライトの非有効領域に配置される入射光調整部材と、
前記入射光調整部材上に配置される点光源とを有する液晶表示装置であって、
前記入射光調整部材は、前記バックライトの非有効領域の全体に設けられるとともに、前記導光部材側の面に、断面形状の少なくとも一部が円弧状の複数の凸部を有し、
前記入射光調整部材は、前記凸部を前記導光部材の前記液晶表示パネルと反対側の面に密着させて前記導光部材の前記液晶表示パネルと反対側の面に配置されることを特徴とする液晶表示装置。
【請求項７】
前記導光部材の前記液晶表示パネル側の面上で、前記バックライトの前記非有効領域に配置される後面側反射シートを有することを特徴とする請求項６に記載の液晶表示装置。
【請求項８】
前記導光部材は、前記液晶表示パネル側の面に形成された光半透過部材と、
前記液晶表示パネルと反対側の面上で、前記入射光調整部材が配置される領域外の領域に形成される反射部材とを有し、
前記光半透過部材の屈折率が、前記導光部材の屈折率よりも小さいことを特徴とする請求項６または請求項７に記載の液晶表示装置。
【請求項９】
前記入射光調整部材の前記点光源が配置される面上で、前記点光源が配置されている領域を除いた領域に配置される前面側反射シートを有することを特徴とする請求項１ないし請求項８のいずれか１項に記載の液晶表示装置。
【請求項１０】
前記光半透過部材に代えて、偏光反射部材を用い、
前記偏光反射部材の透過軸が、前記表示パネルの前記バックライトと対向する面に設けられ偏光板の透過軸と同一方向であることを特徴とする請求項３、または、請求項８に記載の液晶表示装置。
【請求項１１】
前記導光部材の前記液晶表示パネル側の面上で、前記バックライトの有効発光領域に対応する領域に配置される出射光制御板を有し、
前記出射光制御板は、前記導光部材側の面に断面形状の少なくとも一部が円弧状の複数の凸部を有し、
前記出射光制御板は、前記凸部を前記導光部材の前記液晶表示パネル側の面に密着させて前記導光部材の前記液晶表示パネル側の面に配置されることを特徴とする請求項６ないし請求項１０のいずれか１項に記載の液晶表示装置。
【発明の詳細な説明】
【技術分野】
【０００１】
本発明は、液晶表示装置に係り、特に、白色発光ダイオード（ＬＥＤ；Light Emitting Diode）などの点光源を用いるバックライトに適用して有効な技術に関するものである。
【背景技術】
【０００２】
従来、液晶表示モジュールにおいて、液晶表示パネルの後方にバックライト（光源）を配置し、その光源からの光を液晶表示パネルに照射し、画像を表示する。
携帯電話などに用いられている液晶表示モジュールでは、近年、軽量化を目的としてバックライトの光源に、白色発光ダイオード（ＬＥＤ；Light Emitting Diode）などの点光源が使用されている。（下記、特許文献１参照）
図１３、図１４は、従来の白色発光ダイオードを使用するバックライトを説明するための概略図であり、同図（ａ）は概略平面図、同図（ｂ）は側面図である。
図１３は白色発光ダイオードが１個の場合、図１４は白色発光ダイオード１１が２個の場合のバックライトを図示しており、図１３、図１４は、前述の特許文献１に開示されているバックライトである。
図１３、図１４に示すバックライトは、導光板２の側面に配置される白色発光ダイオード１１と、導光板２の液晶表示パネル側の面上に配置される出射光制御板５とを有する。
出射光制御板５は、複数の凸部５０１を有し、各凸部５０１は、断面形状の少なくとも一部が円弧状となっている。
【０００３】
また、本出願人は、バックライトの薄型化、軽量化を図るために、光源に白色発光ダイオードを使用するとともに、導光部材を使用するバックライトを出願済みである。（下記、特許文献２参照）
図１５は、従来の白色発光ダイオードを使用する他のバックライトを説明するための概略図であり、同図（ａ）は概略平面図、同図（ｂ）は側面図である。図１５は、前述の特許文献１に開示されているバックライトである。
図１５に示すバックライトは、導光部材３と、導光部材３上に配置される入射光調整部材１と、入射光調整部材１上に配置される白色発光ダイオード１１とを有する。
入射光調整部材１は、複数の凸部１０１を有し、各凸部１０１は、断面形状の少なくとも一部が円弧状となっている。なお、図１５において、１１Ｒは後面側反射シートであり、また、図１３〜図１５において、ＡＲは有効発光領域である。
【０００４】
なお、本願発明に関連する先行技術文献としては以下のものがある。
【特許文献１】特開２００５−３８７４９号公報
【特許文献２】特願２００５−３５２１６７
【発明の開示】
【発明が解決しようとする課題】
【０００５】
しかしながら、前述の図１３、図１４に示すバックライトでは、白色発光ダイオード１１の出光角度特性、および、空気と導光板２の材質の屈折率の差により、白色発光ダイオード１１の近傍では光が到達する範囲が狭く、図１３、図１４に示すように、液晶表示パネルの表示領域に対応する有効発光領域（ＡＲ）と白色発光ダイオード１１との間に、明るい領域（ＬＡ）と暗い領域（ＤＡ）が発生する。
そのため、導光板２の入光部から、実際に面光源として使用される有効発光領域までの距離を広く取らなければならないという問題点があった。
前述の図１５に示すバックライトでも、光が有効発光領域方向へ進みにくいため、同様に暗い領域（ＤＡ）が発生するので、白色発光ダイオード１１から、実際に面光源として使用される有効発光領域（ＡＲ）までの距離を広く取らなければならないという問題点があった。
本発明は、前記従来技術の問題点を解決するためになされたものであり、本発明の目的は、液晶表示装置において、点光源から有効発光領域までの距離を短くし、バックライトの小型化を図ることが可能となる技術を提供することにある。
本発明の前記ならびにその他の目的と新規な特徴は、本明細書の記述及び添付図面によって明らかにする。
【課題を解決するための手段】
【０００６】
本願において開示される発明のうち、代表的なものの概要を簡単に説明すれば、下記の通りである。
（１）バックライトと、前記バックライトの観察者側に配置された液晶表示パネルとを備え、前記バックライトは、導光板と、前記導光板の側面に配置される点光源と、前記導光板の前記液晶表示パネル側に配置される出射光制御板とを有する液晶表示装置であって、前記出射光制御板は、前記導光板側の面に、断面形状の少なくとも一部が円弧状の複数の凸部を有し、前記出射光制御板は、前記凸部を前記導光板の前記液晶表示パネル側の面に密着させて前記導光板の前記液晶表示パネル側の面に配置され、前記出射光制御板の前記凸部は、バックライトの非有効領域に対応する領域にも形成されている。
（２）（１）において、前記出射光制御板の前記液晶表示パネル側の面上で、前記バックライトの前記非有効領域上に配置される第１の反射シートを有する。
（３）（１）または（２）において、前記導光板の前記液晶表示パネルと反対側の面上で、少なくとも前記バックライトの前記非有効領域上に配置される第２の反射シートを有する。
【０００７】
（４）表示パネルと、前記表示パネルの観察者と反対側に配置されたバックライトとを備え、前記バックライトは、導光部材と、前記導光部材の前記液晶表示パネル側の面上で、前記バックライトの非有効領域に配置される入射光調整部材と、前記入射光調整部材上に配置される点光源とを有する液晶表示装置であって、前記入射光調整部材は、前記導光部材側の面に、断面形状の少なくとも一部が円弧状の複数の凸部を有し、前記入射光調整部材は、前記凸部を前記導光部材の前記液晶表示パネル側の面に密着させて前記導光部材の前記液晶表示パネル側の面に配置される。
（５）（４）において、前記導光部材の前記液晶表示パネルと反対側の面上で、前記バックライトの前記非有効領域に配置される後面側反射シートを有する。
（６）（４）において、前記導光部材は、前記液晶表示パネル側の面上で、前記入射光調整部材が配置される領域外の領域に形成された光半透過部材と、前記液晶表示パネルと反対側の面に形成された反射部材とを有し、前記光半透過部材の屈折率が、前記導光部材の屈折率よりも小さい。
【０００８】
（７）表示パネルと、前記表示パネルの観察者と反対側に配置されたバックライトとを備え、前記バックライトは、導光部材と、前記導光部材の前記液晶表示パネルと反対側の面上の、前記バックライトの非有効領域に配置される入射光調整部材と、前記入射光調整部材上に配置される点光源とを有する液晶表示装置であって、前記入射光調整部材は、前記導光部材側の面に、断面形状の少なくとも一部が円弧状の複数の凸部を有し、前記入射光調整部材は、前記凸部を前記導光部材の前記液晶表示パネルと反対側の面に密着させて前記導光部材の前記液晶表示パネルと反対側の面に配置される。
（８）（７）において、前記導光部材の前記液晶表示パネル側の面上で、前記バックライトの前記非有効領域に配置される後面側反射シートを有する。
（９）（７）または（８）において、前記導光部材は、前記液晶表示パネル側の面に形成された光半透過部材と、前記液晶表示パネルと反対側の面上で、前記入射光調整部材が配置される領域外の領域に形成される反射部材とを有し、前記光半透過部材の屈折率が、前記導光部材の屈折率よりも小さい。
【０００９】
（１０）（４）ないし（９）の何れかにおいて、前記入射光調整部材の前記点光源が配置される面上で、前記点光源が配置されている領域を除いた領域に配置される前面側反射シートを有する。
（１１）（６）、（９）または（１０）において、前記光半透過部材に代えて、偏光反射部材を用い、前記偏光反射部材の透過軸が、前記表示パネルの前記バックライトと対向する面に設けられ偏光板の透過軸と同一方向である。
（１２）（４）ないし（１１）の何れかにおいて、前記導光部材の前記液晶表示パネル側の面上で、前記バックライトの有効発光領域に対応する領域に配置される出射光制御板を有し、前記出射光制御板は、前記導光部材側の面に断面形状の少なくとも一部が円弧状の複数の凸部を有し、前記出射光制御板は、前記凸部を前記導光部材の前記液晶表示パネル側の面に密着させて前記導光部材の前記液晶表示パネル側の面に配置される。
（１３）（１２）において、前記入射光調整部材と前記出射光制御板とは一体に形成される。
【発明の効果】
【００１０】
本願において開示される発明のうち代表的なものによって得られる効果を簡単に説明すれば、下記の通りである。
本発明の液晶表示装置によれば、点光源から有効発光領域までの距離を短くし、バックライトの小型化を図ることが可能となる。
【発明を実施するための最良の形態】
【００１１】
以下、図面を参照して本発明の実施例を詳細に説明する。
なお、実施例を説明するための全図において、同一機能を有するものは同一符号を付け、その繰り返しの説明は省略する。
［実施例１］
図１は、本発明の実施例１の液晶表示装置に使用されるバックライトの概略構成を示す図であり、同図（ａ）は概略平面図、同図（ｂ）は側面図である。
本実施例のバックライトは、導光板２の側面に配置される白色発光ダイオード１１（本発明の点光源）と、導光板２の液晶表示パネル側の面に配置される出射光制御板５とを有する。
出射光制御板５は、複数の凸部５０１を有し、各凸部５０１は、円柱形状で、断面形状の少なくとも一部が円弧状となっている。そして、この凸部５０１を導光板２に密着させて、出射光制御板５を導光板２上に配置する。
また、図１には図示していないが、出射光制御板５の上に液晶表示パネルが配置される。
本実施例では、出射光制御板５を導光板２の入光部近傍の非有効領域まで延長し、この導光板２の入光部近傍の非有効領域まで延長した部分の、導光板２側の面に凸部５０１を形成し、さらに、この領域の導光板２の下と、出射光制御板５上に、白色の反射シート（１１Ｆ，１１Ｒ）を配置することを特徴とする。
ここで、非有効領域とは、バックライトの有効発光領域（ＡＲ）（即ち、液晶表示パネルの表示領域に対応する領域）以外の領域をいう。
【００１２】
図２は、本実施例の構造による効果を説明するための図である。
（１）図２に示すように、白色発光ダイオード１１から出射された光の一部は、導光板２を経由して、出射光制御板５の非有効領域の凸部５０１に到達し、その凸部５０１の壁面で反射された後、その上部に設けられた反射シート１１Ｆに達する。
反射シート１１Ｆは、白色の反射シートであるため、その光は乱反射し、さまざまな方向へ拡散反射された後、再び出射光制御板５に入光する。
（２）再び、出射光制御板５に入光された光の一部は、再び凸部５０１を経由して導光板２に入光し、また、別の光は、図２のＡに示すように、出射光制御板５の下面より出射され、導光板２に入光する。さらに、また、別の一部は、図２のＢに示すように、出射光制御板５内を伝播する。
（３）導光板２の下面にも反射シート１１Ｒを設けているため、前述の（２）にて導光板２内へ再入光した光は乱反射しながら伝播していく。
（４）導光板２、または、出射光制御板５の非有効領域内を伝播した光の一部は、非有効領域内の出射光制御板５の凸部５０１から有効発光領域（ＡＲ）へ向けて反射される。
このように、本実施例では、非有効領域にも光が到達し、さらに、有効発光領域（ＡＲ）へ向けて光が反射されるため、白色発光ダイオード１１から有効発光領域（ＡＲ）までの距離を短くしても、輝度均一性の高いバックライトを実現することができる。
【００１３】
［実施例２］
図３は、本発明の実施例２の液晶表示装置に使用されるバックライトの概略構成を示す図であり、同図（ａ）は概略平面図、同図（ｂ）は側面図である。
本実施例のバックライトは、導光部材３と、導光部材３上に配置される入射光調整部材（本発明の入射光調整部材）１と、入射光調整部材１上に配置される白色発光ダイオード１１（本発明の点光源）とを有する。
入射光調整部材１は、複数の凸部１０１を有し、各凸部１０１は、円柱形状で、断面形状の少なくとも一部が円弧状となっている。そして、この凸部１０１を導光部材３に密着させて、入射光調整部材１を導光部材３上に配置する。
また、図３には図示していないが、導光部材３の入射光調整部材１が配置される側の面上に液晶表示パネルが配置される。
本実施例では、入射光調整部材１を、非有効領域の全体に設け、さらに、この非有効領域の、導光部材１の下と、入射光調整部材１上に、白色の反射シート（１１Ｆ，１１Ｒ）を配置したことを特徴とする。
ここで、非有効領域とは、バックライトの有効発光領域（ＡＲ）（即ち、液晶表示パネルの表示領域に対応する領域）以外の領域をいう。
本実施例でも、前述の実施例１と同様に、入射光調整部材１の非有効領域内の凸部１０１により、導光部材１の非有効領域内をも光が伝播し、さらに、有効発光領域（ＡＲ）へ向けて光が反射されるため、白色発光ダイオード１１から有効発光領域（ＡＲ）までの距離を短くしても、輝度均一性の高い面光源を実現することができる。
【００１４】
図４は、本実施例のバックライトの変形例の構造を説明するための図である。
図４に示すバックライトは、導光部材３の両側に、光半透過部材２０１ｂと反射部材２０１ｃとを形成したものである。このとき、光半透過部材２０１ｂは、その屈折率が、導光部材３の屈折率よりも小さい材料を用いる。
また、導光部材３、光半透過部材２０１ｂ、および反射部材２０１ｃはそれぞれ、フィルム状の部材を用いるが好ましい。
なお、導光部材３の厚さＴａは、たとえば、０．２５ｍｍ以下、また、光半透過部材２０１ｂの厚さＴｂ、および反射部材２０１ｃの厚さＴｃは、それぞれ、たとえば、０．０５ｍｍ以下にする。
そして、図４に示すように、導光部材３の、表示パネル１と対向する面の端部から光４が入射すると、入射した光４は、光半透過部材２０１ｂとの界面、および反射部材２０１ｃとの界面で反射を繰り返しながら導光部材内を伝播する。
このとき、光半透過部材２０１ｂとの界面では、導光部材３の屈折率と光半透過部材２０１ｂの屈折率の関係に応じて、角度が浅い光、言い換えると光半透過部材２０１ｂに対する入射角が大きい光は界面で反射する。
一方、角度が深い光、言い換えると光半透過部材２０１ｂに対する入射角が小さい光は界面で屈折し、表示パネル１の方向に出射される。
光半透過部材２０１ｂとの界面で反射した光は、反射部材２０１ｃとの界面で反射し、再び光半透過部材２０１ｂとの界面に入射する。導光部材３を伝播する光に、この動作を繰り返させることで、導光部材３に入射した光４が、面状の光に変換されて有効発光領域（ＡＲ）から液晶表示パネルに照射される。
【００１５】
図５は、本実施例のバックライトの他の変形例の構造を説明するための図である。
図５において、ＬＣＤは液晶表示パネルであり、液晶表示パネル（ＬＣＤ）は、薄膜トランジスタ（ＴＦＴ）、画素電極などが形成されるガラス基板（ＴＦＴ基板ともいう）と、遮光膜およびカラーフィルタなどが形成されるガラス基板（ＣＦ基板ともいう）とをシール材により貼り付け、２つのガラス基板との間に液晶を注入・封止して構成される。また、ＰＯＬ１，ＰＯＬ２は、ガラス基板の外側に配置される偏光板である。
図５に示すバックライトは、図４に示す光半透過部材２０１ｂに代えて、偏光反射部材（偏光反射シート）２０１ｄを使用したものである。
ここで、偏光板（ＰＯＬ１）の透過軸（図５の矢印ＡＸ２）と、偏光反射部材２０１ｄの透過軸（図５の矢印ＡＸ１）とは同一方向とされる。
偏光反射部材２０１ｄは、入射する光のうち、偏光面がある方向を向いた成分のみを透過し、残りの成分を反射する部材である。そのため、導光部材３を伝播する光のうち、偏光反射部材２０１ｄの透過軸（偏光軸）と一致する成分のみが偏光反射部材２０１ｄを透過して液晶表示パネルに入射される。そして、残りの成分は、反射して導光部材３を伝播し続ける。
偏光反射部材２０１ｄとの界面で反射した光は、反射部材２０１ｃとの界面で反射し、再び偏光反射部材２０１ｄとの界面に入射する。導光部材３を伝播する光に、この動作を繰り返させることで、導光部材３に入射した光４が、面状の光に変換されて液晶表示パネルに入射される。
【００１６】
図６は、本実施例の入射光調整部材１の取り付け方法を説明する模式図である。
入射光調整部材１の、導光部材３と対向する面には、複数個の凸部１０１が形成される。
この入射光調整部材１の凸部１０１は、先端が平坦な面状になっており、導光部材３と密着している。また、図６から分かるように、凸部１０１の断面形状は、少なくとも一部が円弧状に形成される。
また、凸部１０１の先端面を導光部材３に密着させるには、凸部１０１の先端面に光学接着剤２０６を塗布しておき、導光部材３に接着すればよい。また、凸部１０１は、円柱形状の突起とする。
また、導光部材３の、光半透過部材２０１ｂが形成される面に、入射光調整部材１と重畳する反射シート１１Ｒが配置される。
【００１７】
図７は、図４に示す導光部材１を有するバックライトの取り付け方法の一例を示す模式図である。また、図８は、図４に示す導光部材１を有するバックライトの取り付け方法の他の例を示す模式図である。
図７、図８において、ＳＵＢ１，ＳＵＢ２はガラス基板、ＳＬはシール材である。なお、図示は省略するが、ガラス基板（ＳＵＢ１，ＳＵＢ２）の外側には、それぞ偏光板（ＰＯＬ１，ＰＯＬ２）が配置される。
ガラス基板（ＳＵＢ１）には、ドライバを構成する半導体チップ（ＤＲＶ）と、フレキシブル回路基板（ＦＰＣ）が実装される。また、白色発光ダイオード１１は、フレキシブル回路基板（ＦＰＣ）上に実装される。
図７に示す方法は、入射光調整部材１を、導光部材３の液晶表示パネルと反対側に配置する場合の例であり、導光部材３の非有効領域の反射部材２０１ｃが取り除かれ、この部分に、入射光調整部材１と、白色発光ダイオード１１が配置される。また、導光部材３の、光半透過部材２０１ｂが形成される面に、入射光調整部材１と重畳する反射シート１１Ｒが配置される。
このような配置の場合、入射光調整部材１を、その一部または全部が液晶表示パネルと重畳するように配置することもできる。そのため、液晶表示モジュールの表示領域外の領域、いわゆる額縁領域を小さくすることができる。
図８に示す方法は、入射光調整部材１を、導光部材３の液晶表示パネル側に配置する場合の例であり、導光部材３の非有効領域の光半透過部材２０１ｂが取り除かれ、この部分に、入射光調整部材１と、白色発光ダイオード１１が配置される。また、導光部材３の反射部材２０１ｃは、入射光調整部材１と重畳する部分まで形成され、反射部材２０１ｃが前述の反射シート１１Ｒを兼用することになる。
【００１８】
［実施例３］
図９は、本発明の実施例３の液晶表示装置に使用されるバックライトの概略構成を示す図であり、同図（ａ）は概略平面図、同図（ｂ）は側面図である。
本実施例のバックライトは、出射光制御板５と、入射光調整部材１を一体化した入射光調整部材・出射光制御板１５を使用するものである。
本実施例のバックライトでも、白色発光ダイオード１１から有効発光領域（ＡＲ）までの距離を短くしても、輝度均一性の高い面光源を実現することができ、さらに、出射光制御板５と入射光調整部材１との一体化により、高効率で、組立て性を向上させることができる。
図１０は、図９に示すバックライトを適用した液晶表示モジュールの概略構成を示す図であり、同図（ａ）は概略平面図、同図（ｂ）は側面図である。
図１０において、ＳＵＢ１，ＳＵＢ２はガラス基板、ＰＯＬ１，ＰＯＬ２は偏光板、ＤＲＶは半導体チップ、ＦＰＣはフレキシブル回路基板、３は導光部材、１１Ｆ，１１Ｒは反射シート、１１は白色発光ダイオード、１５は入射光調整部材・出射光制御板、ＴＡＰは、液晶表示パネルとバックライトとを接続するための両面テープである。
【００１９】
ガラス基板（ＳＵＢ１）には、ドライバを構成する半導体チップ（ＤＲＶ）と、フレキシブル回路基板（ＦＰＣ）が実装される。また、白色発光ダイオード１１は、フレキシブル回路基板（ＦＰＣ）上に実装される。
また、対比する意味で、図１１に、従来の液晶表示モジュールの概略構成を示す。なお、図１１（ａ）は概略平面図、図１１（ｂ）は側面図である。
図１１において、ＳＵＢ１，ＳＵＢ２はガラス基板、ＰＯＬ１，ＰＯＬ２は偏光板、ＤＲＶは半導体チップ、ＦＰＣ，ＦＰＣ２はフレキシブル回路基板、２は導光板、１１は白色発光ダイオード、９は光学シート群（上拡散シート、２枚のレンズシート、下拡散シート）、１２は反射板である。ここで、白色発光ダイオード１１は、フレキシブル回路基板（ＦＰＣ２）に実装される。
図１０と、図１１とを比較すると分かるように、本実施例の液晶表示モジュールは、より薄型化を図ることが可能である。
【００２０】
本実施例において、出射光制御板５と、入射光調整部材１とは、それぞれ独立させてもよく、その場合の構成を図１２に示す。
なお、図１２は、本発明の実施例３の液晶表示装置に使用されるバックライトの変形例の概略構成を示す要部断面図である。
図１２に示すバックライトでは、導光部材３の液晶表示パネル側に出射光制御板５を設け、導光部材３の液晶表示パネルと反対側に入射光調整部材１を形成する。なお、図１２において、１１Ｒは反射シート、ＦＰＣは白色発光ダイオード１１が実装されるフレキシブル回路基板である。
前記したように、出射光制御板５は、導光部材３から出射して液晶表示パネルに照射される光の出射角度を調整する部材である。
この出射光制御板５は、入射光調整部材１と同様の構成であり、導光部材３と対向する面に、複数の凸部５０１を有し、凸部５０１の先端面が導光部材３と密着している。
出射光制御板５の凸部５０１の先端面を導光部材３に密着させるには、たとえば、突起の先端面に光学接着剤を塗布しておき、導光部材３に接着すればよい。
また、出射光制御板５の凸部５０１は、円柱形状で、断面形状の少なくとも一部が円弧状となっている。
【００２１】
図１２に示すバックライトでは、光半透過部材２０１ｂまたは偏光反射部材２０１ｄ、および反射部材２０１ｃを用いていないが、導光部材３の屈折率が空気の屈折率よりも大きいので、入射光調整部材１を通って導光部材３に入射した光４は、導光部材３と空気の界面で全反射を繰り返し、導光部材３内を伝播する。
このとき、出射光制御板５の凸部５０１と、導光部材３が接している箇所では、屈折率がほぼ同じであるため、全反射は起きず、そのまま出射光制御板５の凸部５０１内に光４が進行する。そして、凸部５０１内に入った光４は、凸部５０１の側面と空気の界面で反射された後、液晶表示パネルがある方向に出射される。
また、前述の各実施例では、白色発光ダイオード１１が１つの場合について説明したが、本発明はこれに限定されるものではなく、白色発光ダイオード１１は２以上配置するようにしてもよい。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２２】
【図１】本発明の実施例１の液晶表示装置に使用されるバックライトの概略構成を示す図である。
【図２】本発明の実施例１の効果を説明するための図である。
【図３】本発明の実施例２の液晶表示装置に使用されるバックライトの概略構成を示す図である。
【図４】本発明の実施例２のバックライトの変形例の構造を説明するための図である。
【図５】本発明の実施例２のバックライトの他の変形例の構造を説明するための図である。
【図６】本発明の実施例２の入射光調整部材の取り付け方法を説明する模式図である。
【図７】図４に示す導光部材を有するバックライトの取り付け方法の一例を示す模式図である。
【図８】図４に示す導光部材を有するバックライトの取り付け方法の他の例を示す模式図である。
【図９】本発明の実施例３の液晶表示装置に使用されるバックライトの概略構成を示す図である。
【図１０】図９に示すバックライトを適用した液晶表示モジュールの概略構成を示す図である。
【図１１】従来の液晶表示モジュールの概略構成を示す図である。
【図１２】本発明の実施例３の液晶表示装置に使用されるバックライトの変形例の概略構成を示す要部断面図である。
【図１３】従来の白色発光ダイオードを使用するバックライトを説明するための概略図である。
【図１４】従来の白色発光ダイオードを使用するバックライトを説明するための概略図である。
【図１５】従来の白色発光ダイオードを使用する他のバックライトを説明するための概略図である。
【符号の説明】
【００２３】
１  入射光調整部材
２  導光板
３  導光部材
５  出射光制御板
９  光学シート群（上拡散シート、２枚のレンズシート、下拡散シート）、
１１  白色発光ダイオード
１１Ｆ，１１Ｒ  反射シート
１２  反射板
１５  入射光調整部材・出射光制御板
１０１，５０１  凸部
２０１ｂ  光半透過部材
２０１ｃ  反射部材
２０１ｄ  偏光反射シート       
２０６  光学接着剤
ＬＣＤ  液晶表示パネル
ＡＲ  有効発光領域
ＦＰＣ，ＦＰＣ２  フレキシブル回路基板
ＳＵＢ１，ＳＵＢ２  ガラス基板
ＰＯＬ１，ＰＯｌ２  偏光板
ＴＡＰ  両面テープ
ＤＲＶ  半導体チップ
ＳＬ  シール材
【図１】
0005258173.tif 000002
【図２】
0005258173.tif 000003
【図３】
0005258173.tif 000004
【図４】
0005258173.tif 000005
【図５】
0005258173.tif 000006
【図６】
0005258173.tif 000007
【図７】
0005258173.tif 000008
【図８】
0005258173.tif 000009
【図９】
0005258173.tif 000010
【図１０】
0005258173.tif 000011
【図１１】
0005258173.tif 000012
【図１２】
0005258173.tif 000013
【図１３】
0005258173.tif 000014
【図１４】
0005258173.tif 000015
【図１５】
0005258173.tif 000016